(57)【要約】【課題】薄型で部品点数を削減した照明器具を提供する。【解決手段】光源部４１と、前記光源部４１に給電する電源部３１と、一方の面に前記光源部４１を取り付ける光源取付部２３と、他方の面に前記電源部３１を収容する電源収容部２９とを有する器具本体２１と、前記器具本体２１の前記電源収容部２９側を覆うとともに前記器具本体２１に取り付けられる背面カバー部７１と、を備え、前記電源部３１は、電源回路部３２と、電源回路部３２を収容する電源ケース３３を有し、前記電源ケース３３が電源収容部２９に収容されることで前記電源ケース３３の下端が位置決めされるとともに、前記器具本体２１に前記背面カバー部７１を取り付けることで前記背面カバー部７１の一面が前記電源ケース３３の上端部に当接した状態で、前記電源部３１は前記器具本体２１内に収容される。【選択図】図６
2020017546.tif 000002
【特許請求の範囲】
【請求項１】
光源部と、
前記光源部に給電する電源部と、
一方の面に前記光源部を取り付ける光源取付部と、他方の面に前記電源部を収容する電源収容部とを有する器具本体と、
前記器具本体の前記電源収容部側を覆うとともに前記器具本体に取り付けられる背面カバー部と、を備え、
前記電源部は、電源回路部と、電源回路部を収容する電源ケースを有し、
前記電源ケースが電源収容部に収容されることで前記電源ケースの下端が位置決めされるとともに、前記器具本体に前記背面カバー部を取り付けることで前記背面カバー部の一面が前記電源ケースの上端部に当接した状態で、前記電源部は前記器具本体内に収容される、照明器具。
【請求項２】
前記光源部は、前記電源部と平面視において重ならず、側面視において重なる位置に配置される、請求項１に記載の照明器具。
【請求項３】
前記器具本体の前記電源収容部側に立設される接続部を有し、
前記接続部は、その一部が前記電源部と側面視において重なる位置に配置される、請求項１または請求項２に記載の照明器具。
【請求項４】
前記器具本体の前記電源収容部側に接続部を有し、
前記背面カバー部は、前記接続部が挿通される挿通孔を有し、
前記接続部の一部は、前記器具本体と前記背面カバー部との間に介装される、請求項１または請求項２に記載の照明器具。
【発明の詳細な説明】
【技術分野】
【０００１】
本発明は、照明器具に関する。
【背景技術】
【０００２】
従来から特許文献１に記載された照明器具のようなダウンライトが広く用いられている。特許文献１では、天井（建造物）などの取付け面に穴を空けて埋め込んだ状態で使用する照明器具が開示されている。この照明器具は、取付け面に埋め込まれる部分である本体部と、取付け面から外側に露出する部分である枠部とを有している。特許文献１の照明器具は、天井面の取り付け穴に埋め込むダウンライトであるため、天井面からの突出が少なく、天井面をすっきりとした演出をすることができる。
【０００３】
しかしながら、特許文献１の照明器具では、天井に照明器具の取り付け穴を設ける必要があり、一度施工してしまうと照明器具の変更が難しい場合もあった。そこで近年では、特許文献２に記載の照明器具のように薄型で小型の天井直付け型のシーリングライトが開発されている。
【０００４】
特許文献２で開示される照明器具は、ＬＥＤ基板と、点灯回路基板を有するＬＥＤランプ本体と、ＬＥＤランプ本体を着脱可能に装着する連結板と有し、ＬＥＤランプ本体には筒体の電力供給開口部が設けられ、電力供給開口部には速結端子を有する。筒体の電力供給開口部は、連結板の電力供給口を通して被取付部に形成された外部電源線の通孔に挿入される。
【先行技術文献】
【特許文献】
【０００５】
【特許文献１】特開２０１０−１８２４３２号公報
【特許文献２】特許第５５３８６０７号公報
【発明の概要】
【発明が解決しようとする課題】
【０００６】
特許文献２の照明器具を天井等の被取付部に取り付ける場合、筒体の電力供給開口部を被取付部の通孔と連結板の開口部の両方に挿入させねばならない。電力供給開口部を連結板の開口部と被取付部の通孔の両方に沿って挿入しようとすると、それぞれの寸法誤差や連結板の取り付け時の傾きや位置ずれによって、筒体の電力供給開口部が部分的に被取付部の通孔の内壁と接触する可能性があり、筒体の電力供給開口部やその内部にある速結端子に負荷がかかる可能性が有る。
また、被取付部に適正に通孔を形成できればよいが、多少の傾きや位置ずれを有して通孔が形成される場合も有る。このような状態の通孔に連結板を取り付けた後に筒体の電力供給開口部を挿入させると、筒体の電力供給開口部は連結板の開口部によって位置を規制されながら、連結板よりも深く通孔に挿入されることになる。そのため、筒体の電力供給開口部の位置を微調整することもできずに、筒体の電力供給開口部は被取付部の通孔の内壁と部分的に接触しやすくなり、筒体の電力供給開口部や速結端子に負荷がかかる可能性が有る。
【０００７】
また、ＬＥＤランプ本体が連結板に着脱可能に取り付けられるため、筒体の電力供給開口部を被取付部の通孔に挿入後にＬＥＤランプ本体の回動等の取り付け動作をせねばならず、その際にも筒体の電源供給開口部や速結端子に負荷がかかる可能性があった。
【０００８】
そこで、本発明は、上記課題に鑑みてなされたものであり、照明器具を被取付部に取り付ける際に接続部に対する負荷がかかりにくく、かつ天井等の取付面に直付けできる照明器具を提供することを目的とする。
【課題を解決するための手段】
【０００９】
本発明の解決しようとする課題は以上の如くであり、次にこの課題を解決するための手段を説明する。
【００１０】
すなわち、本願に開示する照明器具は、
光源部と、
前記光源部に給電する電源部と、
一方の面に前記光源部を取り付ける光源取付部と、他方の面に前記電源部を収容する電源収容部とを有する器具本体と、
前記器具本体の前記電源収容部側を覆うとともに前記器具本体に取り付けられる背面カバー部と、を備え、
前記電源部は、電源回路部と、電源回路部を収容する電源ケースを有し、
前記電源ケースが電源収容部に収容されることで前記電源ケースの下端が位置決めされるとともに、前記器具本体に前記背面カバー部を取り付けることで前記背面カバー部の一面が前記電源ケースの上端部に当接した状態で、前記電源部は前記器具本体内に収容されるものである。
【００１１】
本願に開示する照明器具において、
前記光源部は、前記電源部と平面視において重ならず、側面視において重なる位置に配置されることが好ましい。
【００１２】
本願に開示する照明器具において、
前記器具本体の前記電源収容部側に立設される接続部を有し、
前記接続部は、その一部が前記電源部と側面視において重なる位置に配置されることが好ましい。
【００１３】
本願に開示する照明器具において、
前記器具本体の前記電源収容部側に接続部を有し、
前記背面カバー部は、前記接続部が挿通される挿通孔を有し、
前記接続部の一部は、前記器具本体と前記背面カバー部との間に介装されることが好ましい。
【発明の効果】
【００１４】
本発明によれば、薄型で部品点数を削減した照明器具を提供することができる。
【図面の簡単な説明】
【００１５】
【図１】本発明の一実施形態に係る照明器具を示す斜視図。
【図２】同じく照明器具を示す側面図。
【図３】同じく照明器具（カバー部及び拡散板を取り外した状態）を示す平面図。
【図４】同じく照明器具の取付面側を示す上面図。
【図５】同じく照明器具（背面カバー部及びカバー部を取り外した状態）を示す上面図。
【図６】図４のＡ−Ａ線における断面図。
【図７】図４のＢ−Ｂ線における断面図。
【図８】照明器具の構成を示す分解斜視図。
【発明を実施するための形態】
【００１６】
本発明の一実施形態に係る照明器具１１について、図１から図８を用いて説明する。本実施形態に係る照明器具１１は、ＬＥＤ素子４２を光源とする照明器具である。照明器具１１は、例えば天井等の取付面に直接取り付けられる直付け型のシーリングライトとして使用することが可能である。なお、照明器具１１は、天井面に限らず、壁面（傾斜面も含む）に取り付けてブラケットライトとして使用することも可能である。以下の説明では、照明器具１１の光を照射する側を照明器具１１の照射面側とし、照明器具１１における天井等の取付面に対向する側を照明器具１１の取付面側（照射面側の反対側）として説明する。また、照明器具１１の取付面側とは、器具本体１１の背面側（裏面側）である。また、図６、図７等に示す照明器具１１が被取付部Ｃに取付けられた状態において、被取付部Ｃに直交する方向を照明器具１１の上下方向として、照明器具１１の取付面側を上方とし、照明器具１１の照射面側の直下方向を下方として説明する。照明器具１１の上下方向に対して直交する方向を照明器具１１の側方として説明する。また、以下の説明において、下方から照明器具１１等を視た状態を平面視とする。上下方向に対して直交方向から照明器具１１等を視た状態を側面視とする。照明器具１１等の断面形状を視た状態を断面視とする。
【００１７】
図１から図８に示すように、照明器具１１は、器具本体２１、電源部３１、光源部（ＬＥＤモジュール基板）４１、拡散板５１、カバー部６１、背面カバー部７１、及び接続部８１を主に備える。照明器具１１の外形は、平面視において略円形状であって、照明器具１１の高さ方向（図６の照明器具１１の上下方向）の寸法が、照明器具１１の径方向（図６の照明器具１１の上下方向に対して直交方向）の寸法よりも小さく薄型で扁平な略円柱形状である。
なお、照明器具１１の外形形状は、本実施形態に限定されるものではない。平面視において略円形状以外に、例えば、楕円形状、正方形状、長方形状、多角形状や扇形、またはそれらを組み合わせた形状にすることもできる。
また、照明器具１１が取り付けられる被取付部Ｃには、平面視円形状の通孔Ｈが設けられている。通孔Ｈは、外部商用電源と接続する電源電線や送り配線用電線等の電線を挿通するための孔である。
【００１８】
器具本体２１は、平面視において略円形状であり、扁平な皿形状の部材である。器具本体２１は、電源部３１、光源部４１、拡散板５１、カバー部６１、背面カバー部７１、及び接続部８１等を保持するものである。具体的には、器具本体２１は、電源部３１を取付面側の後述する電源収容部２９に収容し、かつ取付面側に接続部８１及び背面カバー部７１が取り付けられるとともに、照射面側に光源部４１、拡散板５１、及びカバー部６１が取り付けられる部材である。器具本体２１を構成する材料としては、例えば熱伝導率の高いアルミニウムやアルミニウム合金等の金属材料が挙げられる。器具本体２１は、光源部４１で発生した熱を伝えて外部に放出する放熱機能も有する。器具本体２１は、電源部３１、光源部４１、拡散板５１、カバー部６１、背面カバー部７１、及び接続部８１等を保持可能な機械的性質と、光源部４１が発する熱を放熱させるための熱伝導性とを考慮し、アルミニウム等の金属材料を用いて形成されている。器具本体２１は、平面視における外形形状が、カバー部６１の内側の形状と略一致するかやや小さくなるように形成されている。
なお、器具本体２１は、必要な機械的性質や熱伝導率が確保できる材料であれば、アルミニウムなどの金属に限らず、樹脂などの他の材料、もしくはそれらの組み合わせで形成することができる。
【００１９】
器具本体２１は、中央凹部２２（凸部２２ａ、光源取付部２３、反射部２４、係止段部２５、端子取付部３０）、外周縁部２６、側壁部２７、固定部材配置部２８、及び電源収容部２９を主に有している。器具本体２１は、ネジ等の固定部材９１により被取付部Ｃに直接取り付けられる部材である。
【００２０】
中央凹部２２は、平面視が略円形状で外形が取付面側に向かって凹状に形成された皿状の部分である。中央凹部２２は、その径方向の中央部において照射面側に突出する平面視円形状の凸部２２ａと、該凸部２２ａの周囲に平面視略円環板状の光源取付部２３と、該光源取付部２３の周囲に形成される反射部２４と、該反射部２４の周囲に形成される係止段部２５を有している。光源取付部２３の取付面側には、中央部に接続部８１を取り付けるための端子取付部３０が形成されている。
なお、本実施形態の器具本体２１は、その中央部が取付面側に向かって凹状に形成されるが、このように、器具本体２１を形成することで、器具本体２１の機械的強度や剛性を上げることができる。
また、本実施形態においては、器具本体２１の形状として器具本体２１の中央部が取付面側（図６、図７における上方）に向かって凹状に形成されているが、この形状に特に限定するものではない。
【００２１】
光源取付部２３は、光源部（ＬＥＤモジュール基板）４１が所定位置に位置決めされて取り付けられる凹状の部分である。光源取付部２３は、凸部２２ａの外周縁から径方向外側に延出される平面視略円環状の平板部分である取付面２３ａと、該取付面２３ａの外周縁に沿って形成される段差部２３ｂを有している。取付面２３ａは、器具本体２１の上下方向の略中間に位置する。光源取付部２３は、器具本体２１の凸部２２ａが光源部４１の基板４３の開口部４３ａに係合するとともに、基板４３の外周縁部が段差部２３ｂに係止されることより基板４３が光源取付部２３に対して位置決めされる。そして、光源部４１の基板４３が光源取付部２３の取付面２３ａに当接した状態で取り付けられる。器具本体２１は、光源部４１で発生した熱を伝えて外部に放出しやすくするため、光源部４１が当接される光源取付部２３の取付面２３ａは、光源部４１との接触面積が広くなるよう平坦に形成されている。
なお、本実施形態では、光源取付部２３の取付面２３ａの平面視形状を略円環状としているが、特に限定するものではなく、少なくとも基板４３の一部が取付可能であればよく、円環状以外のその他の形状であってもよい。
【００２２】
反射部２４は、ＬＥＤ素子４２から出射された光、及び拡散板５１の内壁面で反射された光を反射して照射面側に出射する部分である。反射部２４は、光源取付部２３の段差部２３ｂから延出される、平面視円環状で下方に行くに従って拡径する傾斜部分である。反射部２４の周囲には、拡散板５１を係止して位置決めするための係止段部２５が設けられている。
【００２３】
係止段部２５は、図６に示すように、拡散板５１の外周縁部が係止される円環状の部分である。係止段部２５には、該係止段部２５から径方向外側に延出され、ネジ等の取付部材により拡散板５１を取り付けるための一対のネジ取付部２５ａを有する。ネジ取付部２５ａは、係止段部２５の外周縁部から径方向外側に突出する凹状の領域であり、拡散板５１の取付部５１ａが係止されて位置決めされる部分である。ネジ取付部２５ａは、反射部２４の径方向外側に対向して配置されている。
なお、本実施形態では、拡散板５１をネジ等の取付部材を用いて取り付けるためにネジ取付部２５ａを設けたが、接着や嵌合等の取り付け方法を採用する場合には必ずしもネジ取付部２５ａを設けなくても良い。
【００２４】
図５に示すように、端子取付部３０は、光源取付部２３の取付面側に、平面視において器具本体２１の径方向中心に対して対向して配置される半円状の一対の取付面部３０ａ、及び該取付面部３０ａの外周縁部に半円弧凸状に形成される一対の係止部３０ｂを有している。取付面部３０ａは、ネジ部材により接続部８１の固定部８４が取り付けられる部分である。係止部３０ｂは、接続部８１の固定部８４が係止されて位置決めされる部分である。
【００２５】
外周縁部２６は、係止段部２５の外周縁部から径方向外側に延出された、平面視において所定幅を有する略円環状の部分である。外周縁部２６は、光源取付部２３よりも径方向外側に配置され、上下方向において光源取付部２３よりも下方に位置する。
【００２６】
側壁部２７は、外周縁部２６の外周縁から上方に延出される略円筒状の部分である。側壁部２７は、複数のカバー取付部２７ａと、一対の固定部材配置部２８とを有している。カバー取付部２７ａは、側壁部２７の外周面に設けられ、カバー部６１の係止端部を係止して取り付けるための部分である。固定部材配置部２８は、外周縁部２６及び側壁部２７を径方向内側に穿った部分であり、平面視略Ｖ字状の壁部２８ａ、該壁部２８ａの上端から径方向外側に延出される平面視略三角形状で平板状の器具取付部２８ｂから構成されている。器具取付部２８ｂは、器具本体２１をネジ等の固定部材９１により被取付部Ｃに取り付けるために開口して形成された貫通孔を有する。このように、器具本体２１では、固定部材９１による固定位置となる固定部材配置部２８が光源部４１の外周側であり、かつ電源部３１とも重ならないように構成されている。
【００２７】
電源収容部２９は、電源部３１等を収容して、所定位置に配置するために器具本体２１の取付面側に形成された空間であり、電源部３１等を収容するための高さ及び幅が確保されている。具体的には、電源収容部２９は、平面視において反射部２４の外周縁と側壁部２７の内周面との間に形成される、所定幅を有する略半円弧状の空間である。詳細は後述するが、電源収容部２９は、電源部３１を収容して、所定位置に位置決めすることが可能である。
【００２８】
電源部３１は、光源部４１が有するＬＥＤ素子４２に給電を行って、ＬＥＤ素子４２を点灯させるための電源装置である。電源部３１は、器具本体２１における光源部４１の配置される面側（照射面側）とは異なる面側（裏面側）に配置されている。電源部３１は、電源回路部３２と、該電源回路部３２を収容する電源ケース３３を有している。電源回路部３２は、所定幅を有する半円弧形状に加工されたプリント配線基板上に複数の電子部品が実装されたものである。電源ケース３３は、平面視おいて所定幅を有する略半円弧状で断面視略四角状あり、有底半円弧状で上方が開放されたケース部３３ａと、該ケース部３３ａの上端を覆う天板部３３ｂを有している。電源ケース３３には、周方向に沿って電源回路部３２が収容される。電源ケース３３は、電源回路部３２の周囲を覆って保護するものである。図６に示すように、電源部３１は、電源ケース３３が電源収容部２９に収容されることで電源ケース３３の径方向内側の下端が係止段部２５により位置決めされ、かつ電源ケース３３の径方向外側の下端が側壁部２７により位置決めされる。そして、電源部３１（電源ケース３３）は、背面カバー部７１が照明器具１１の取付面側に取り付けられることで、該背面カバー部７１の下側面が電源ケース３３の上端部に当接した状態で、器具本体２１内に配置される。このように電源部３１は、ネジ等の取付部材を用いずに器具本体２１の電源収容部２９に配置することができる。電源部３１は、外部商用電源から供給される交流電流を所定の直流電流に変換し、変換後の電流を基板４３に実装された複数のＬＥＤ素子４２に供給するためのものである。
【００２９】
このように、器具本体２１には、光源部４１と電源部３１が配置され、光源部４１と電源部３１は平面視において重ならず、側面視において重なる位置（図６参照）に配置されている。
【００３０】
電源部３１は、配線（図示せず）を介して小型で縦長の端子台である接続部８１に電気的に接続されている。例えば、照明器具１１を被取付部Ｃに取り付ける際、天井裏側の外部商用電源の電源電線（図示せず）を接続部８１に接続することで、電源部３１は外部商用電源と電気的に接続される。電源部３１と光源部４１は配線３７によって電気的に接続されている（図３参照）。
なお、本実施形態では、接続部８１として端子台を使用しているが、特に限定するものではない。例えば、端子台を使用する代わりに、コネクタ等の接続部品を使用する構成とすることもできる。
【００３１】
光源部４１は、照明器具１１の照射面側に向けて光を出射する部分である。光源部４１は、光源である発光素子を有するモジュール基板である。本実施形態においては、発光素子として、基板４３上に複数の光源であるＬＥＤ（Ｌｉｇｈｔ  ｅｍｉｔｔｉｎｇ  ｄｉｏｄｅ）素子４２が表面実装されたＬＥＤ光源モジュールを使用している。具体的には、ＬＥＤ光源モジュールは、所定幅を有する略円環状に加工された基板４３表面に、複数のＬＥＤ素子４２が周方向に配列された発光モジュールである。光源部４１は、複数（本実施形態では、３つ）のネジ部材４９で光源取付部２３に取り付けられている。基板４３は、配線３７によって電源部３１と電気的に接続されている。ＬＥＤ光源モジュールは、基板４３の実装面の裏面が光源取付部２３の取付面２３ａに当接して固定されるため、ＬＥＤ光源モジュールが発熱した際には、ＬＥＤ光源モジュールの熱が器具本体２１に伝わる。器具本体２１に伝わった熱は、器具本体２１の温度よりも周辺温度が低い場合、器具本体２１周辺の空気へ伝わる。これにより、器具本体２１に伝わった熱は、取付面２３ａを介して器具本体２１の周囲に放熱される。
なお、本実施形態では、光源として表面実装型のＬＥＤ素子４２を用いたが、光源の種類はＬＥＤ素子に限定されず、例えばＣＯＢ型発光モジュールや有機ＥＬ素子（ＯＬＥＤ）などを用いても実現可能である。
また、基板４３は、熱伝導性シート（図示せず）や放熱グリスを介して光源取付部２３に取り付けてもよく、これにより、より高い放熱性を得ることもできる。
【００３２】
拡散板５１は、少なくとも光源部４１の照射面側を覆うように器具本体２１に取り付けられ、光源部４１（ＬＥＤ素子４２）からの光を反射及び拡散させつつ、外部へ配光制御する透光性部材である。拡散板５１は、円板状の部材である。拡散板５１は、透光性を有する樹脂素材で形成されている。拡散板５１は、例えば、微細な凹凸を表面に形成したシボ加工（フロスト加工）を施したもの、あるいは、内部に拡散剤を混入させたもので構成することができる。拡散板５１は、その外径寸法が器具本体２１の係止段部２５の外径寸法よりも小さく（図６参照）、該係止段部２５に係止可能である。拡散板５１は、器具本体２１の下方の開口を閉塞して、ＬＥＤ素子４２に埃などが付着することを防止するものである。拡散板５１は、その側面に径方向外側に向けて突出して形成される、一対のネジ取付部５１ａを有している。ネジ取付部５１ａは、ネジ等の取付部材により器具本体２１が有するネジ取付部２５ａに取り付けられる。
【００３３】
カバー部６１は、拡散板５１の外周縁部、外周縁部２６、及び側壁部２７の外側部分を主に覆うように器具本体２１に取り付けられる部材である。カバー部６１は、拡散板５１を露出するための開口を下側に有するとともに上端が開放された略円筒状部材である。カバー部６１は、樹脂素材（例えば、ＡＢＳ樹脂（Ａｃｒｙｌｏｎｉｔｒｉｌｅ−Ｂｕｔａｄｉｅｎｅ−Ｓｔｙｒｅｎｅ））で形成されている。カバー部６１は、その最大内径寸法が器具本体２１の外径寸法よりも大きく、器具本体２１の外側に取り付け可能である。カバー部６１は、その内壁面に図示しない係止突部を有している。係止突部は、カバー部６１の開口端近傍の内周面において周方向に沿って所定の間隔で複数形成された突状部分である。カバー部６１は、係止突部をカバー取付部２７ａに係止することで、器具本体２１に対してカバー部６１が位置決めされる。カバー部６１は、内部の清掃や器具本体２１の部品交換等のために、器具本体２１に対して着脱できる構造となっている。
また、カバー部６１の材質としては、ＡＢＳ樹脂以外の樹脂や、木材、金属など必要に応じて適宜素材を選択することもできる。
【００３４】
器具本体２１には、カバー部６１の係止突部を係止するために前述したカバー取付部２７ａが設けられている。詳細は省略するが、カバー部６１を器具本体２１に取り付ける場合、カバー部６１は、係止突部を器具本体２１のカバー取付部２７ａに挿入し、カバー部６１の周方向の一方に回動し、係止することで、器具本体２１に取り付けられる。また、カバー部６１が器具本体２１に取り付けられた状態でカバー部６１を周方向の他方に回動させると、カバー部６１の係止突部が器具本体２１のカバー取付部２７ａから外れて、カバー部６１を器具本体２１から取り外すことができる。
カバー部６１は、回動させて器具本体２１に取り付けられる。カバー部６１を取り付けるとき、器具本体２１は被取付部Ｃに固定部材９１によって固定されている。そのため、カバー部６１を回動させても器具本体２１は回動せず、接続部８１にも負荷がかかりにくい。
【００３５】
背面カバー部７１は、器具本体２１の取付面側を覆う略円形状の平板部材である。背面カバー部７１は、金属材料により形成されている。背面カバー部７１は、中央部に接続部８１を挿通するための挿通孔７１ａを有する。背面カバー部７１は、挿通孔７１ａを挟んで対向して形成される、背面カバー部７１へのネジ部材８６の頭部による干渉を防止するための一対の貫通孔７１ｂを有している。一対のネジ部材８６の頭部の一部は、貫通孔７１ｂを介して露出されている（図４参照）。貫通孔７１ｂを設けてネジ部材８６の頭部の一部を露出させることで、器具本体２１の高さ寸法の増大化を防ぐ。背面カバー部７１は、挿通孔７１ａに接続部８１が挿通され、かつ貫通孔７１ｂにネジ部材８６の頭部の一部が露出した状態で、器具本体２１の取付面側を覆う。背面カバー部７１は、器具本体２１の取付面側に設けられた複数の取付部（本実施形態では、３箇所）にネジ部材７２により取り付けられる。これにより、接続部８１の固定部８４が背面カバー部７１と光源取付部２３の取付面２３ａとの間に介装され、接続部８１の固定部８４が光源取付部２３の取付面２３ａから離脱しないように確実に保持することができる。
【００３６】
接続部８１は、小型で縦長の端子台であり、電源部３１に電線（配線）を介して電気的に接続されるとともに、電源電線や送り配線用電線等の電線（配線）を電気的に接続するためのものである。接続部８１は、器具本体２１における光源取付部２３の取付面２３ａの光源部４１が配置される面の裏面側（取付面側）に立設される。本実施形態では、器具本体２１における被取付部Ｃに対向する面に接続部８１を立設している。接続部８１は、速結端子部材（図示せず）と、端子筐体８３と、固定部８４、カバー８５を有している。固定部８４は、端子取付部３０の係止部３０ｂにより位置決めされ、ネジ部材８６により取付面部３０ａに取り付けられる。
【００３７】
速結端子部材は、金属板を屈曲加工して形成したものであり、一端側（上端側）において器具本体２１の上下方向に沿って電源電線や送り配線用電線の芯線が差し込まれる。差し込まれた電線の芯線は、金属板に挟まれ電気的に接続され、該金属板の他端側は電源部３１と配線により電気的に接続されている。
【００３８】
端子筐体８３は、縦長で中空な略筒状で、電気絶縁性の樹脂で形成されたものである。端子筐体８３は、内部に複数の速結端子部材が収容されている。端子筐体８３は、電源電線や送り配線用電線等の芯線が挿入される電線接続口８２を備えている。
【００３９】
カバー８５は、シリコーン樹脂等の弾性のある電気絶縁性の樹脂で形成されたものである。端子筐体８３の一端側（上端側）に電線接続口８２を覆うように取り付けられている。電源電線や送り配線用電線等の芯線は、カバー８５を貫通させるように突き刺し、電線接続口８２に挿入して速結端子部材と電気的に接続される。このように接続させることで、電線接続口８２内に埃や水滴等の異物が侵入することを防止することができる。
【００４０】
（本実施形態の照明器具の取付手順）
本実施形態の照明器具１１の取付手順の一例について説明する。まず、被取付部Ｃに設けた通孔Ｈから電源電線や送り配線用電線等の電線（以下、単に電線として説明する。）の一端側を照射面側に引き出す。次に、カバー部６１を回動させて器具本体２１からカバー部６１を取り外す。次に、通孔Ｈから引き出された電線の芯線を貫通させるようにカバー８５に突き刺し、電線接続口８２に挿入して速結端子部材と電気的に接続させる。次に、通孔Ｈに電線と接続部８１の端子筐体８３を挿入するように、器具本体２１を被取付部Ｃの所望の位置に配置させる。次に、２つの固定部材９１・９１の先端を、器具本体２１のそれぞれの器具取付部２８ｂの貫通孔に通して被取付部Ｃにねじ込み、器具本体２１を被取付部Ｃに固定する。最後に、カバー部６１を取り外したときとは反対方向に回動させて、器具本体２１に取り付ける。
なお、上記に説明した取付手順は一例であり、カバー部６１を取り外す工程は、電線を速結端子部材と接続させる工程と前後しても良い。
【００４１】
以上説明した本実施形態に係る照明器具１１によれば、器具本体２１は、被取付部Ｃにネジ等の固定部材９１により取付けられ、接続部８１は、器具本体２１における光源部４１の配置される面の裏面側に立設されている。器具本体２１は、被取付部Ｃの通孔Ｈに接続部８１を挿入した状態で、固定部材９１を用いて被取付部Ｃに取り付ける。そのため、接続部８１に負荷をかけないように器具本体２１の側方方向の位置を調整しながら、器具本体２１を被取付部Ｃに取り付けることができる。また、器具本体２１を被取付部Ｃに取り付ける際に、回動などの動作をすることがない。これらにより、照明器具１１を被取付部Ｃに取り付けるときに接続部８１に対する負荷がかかりにくい。
【００４２】
また、本実施形態では、器具本体２１には、光源部４１と電源部３１が配置され、光源部４１と電源部３１は平面視において重ならず、側面視において重なる位置に配置されている。このように構成することで、照明器具１１を上下方向に大型化させることなく照明器具１１の小型化が図れる。すなわち、薄型の照明器具を実現することができる。
【００４３】
また、本実施形態では、器具本体２１における固定部材９１による固定位置が光源部４１の外周側であり、かつ電源部３１と重ならないように構成されている。これにより、固定部材９１が光源部４１と所定間隔を有するため、固定部材９１による影が生じにくい。加えて、器具本体２１は、電源部３１が接続部８１を介して商用外部電源と電気的に接続された状態で、被取付部Ｃに取り付けられる。電源部３１と固定部材９１が重ならない位置にあるので、固定部材９１が電源部３１や配線、電源電線等に接触しにくく、安全に取付作業ができる。
また、本実施形態では、器具本体２１における固定部材９１による固定位置は器具本体２１の外周側であり、器具本体２１の中央部に立設する接続部８１と離れた位置にある。これにより、固定部材９１が傾斜して被取付部Ｃにねじ込まれた場合にも、接続部８１や電源電線や送り配線用電線等の電線と接触せず、安全に取付作業ができる。
【００４４】
また、本実施形態では、光源部４１の光源が発光素子である。これにより、小型の照明器具が実現できる。
【００４５】
また、本実施形態では、電源部３１は、器具本体２１における光源部４１の配置される表面とは異なる表面に配置されている。これにより、器具本体２１のそれぞれ別の表面に光源部４１と電源部３１を配置するため、光源部４１と電源部３１を隔てるための別途絶縁カバー等を設ける必要がなく部品点数を削減できる。
【００４６】
以上、本発明の実施形態について説明したが、本発明は上記実施形態に限定されるものではなく、様々な変更が可能である。例えば、照明器具の形状が平面視において略円形状以外の形状であってもよく、例えば長方形状、多角形状やその他の形状としてもよい。
【符号の説明】
【００４７】
１１    照明器具
２１    器具本体
２８    固定部材配置部
３１    電源部
４１    光源部
５１    拡散板
６１    カバー部
８１    接続部
９１    固定部材
Ｃ      被取付部
【図１】
2020017546.tif 000003
【図２】
2020017546.tif 000004
【図３】
2020017546.tif 000005
【図４】
2020017546.tif 000006
【図５】
2020017546.tif 000007
【図６】
2020017546.tif 000008
【図７】
2020017546.tif 000009
【図８】
2020017546.tif 000010